(57)【要約】      （修正有）【課題】従来の目的情報提供型電子地図に替わる電子地図ならびにかかる電子地図を用いたアプリケーションプログラムを提供する。【解決手段】イベントが日付を伴う日付アイコンにより地図上に表記される電子地図を表示することを特徴とするアプリケーションプログラム。表示される日付については，目視が容易である限り特に限定する必要はなく，「○月○日」や「○日」などの表記を用いることができる。また，期間を示す表示として，「○−○」の表示としてもよい。加えて，必ずしも特定の日付に限定されず，「本日」，「明日」，「昨日」，など，相対的に日付を特定できる表記を用いてもよい。【選択図】図１
2017026929.tif 000002
【特許請求の範囲】
【請求項１】
イベントが日付を伴う日付アイコンにより地図上に表記される電子地図を表示することを特徴とするアプリケーションプログラム
【請求項２】
電子地図の表記時において前記日付アイコンが，現在，過去，未来においてそれぞれ色分け，又は，アイコンの形状を変えることにより，峻別可能であることを特徴とする請求項１に記載のアプリケーションプログラム
【請求項３】
前記日付アイコンをタップすることにより，アイコンに関するイベントや施設名などの内容が表示されることを特徴とする請求項１又は２に記載のアプリケーションプログラム
【請求項４】
さらに，前記イベントが，パチンコに関するイベントであることを特徴とする請求項１から３に記載のアプリケーションプログラム
【請求項５】
さらに，イベントを開催するパチンコ店舗数を件数表示するカレンダーを備えることを特徴とする請求項４に記載のアプリケーションプログラム
【請求項６】
請求項１から５に記載のアプリケーションプログラムを用いることを特徴とした腕時計型電子デバイス
【発明の詳細な説明】
【技術分野】
【０００１】
本発明は，地図表示を伴うアプリケーションプログラム等に関する。さらに詳しくいうと本発明は，地図上の日付アイコン表記により，所定のイベントのスケジュールなどが，直感的に分かる電子地図を伴ったアプリケーションプログラム等に関する。
【背景技術】
【０００２】
電子地図は，スマートフォンやタブレットなどの携帯端末に標準的な機能として備えられ，これを参照しながら目的地までの経路を確認するための手段として用いられている。加えて，電子地図上に，アイコンなどを表記して，店舗やレジャー情報などを提供する情報提供型の電子地図も汎用されている（特許文献１）。
【先行技術文献】
【特許文献】
【０００３】
【特許文献１】特開２００５−１４１１６１
【発明の開示】
【発明が解決しようとする課題】
【０００４】
情報提供型電子地図において，例えば，飲食店や花火大会，施設やイベントなど目的に応じた情報を表示する電子地図が存在している。かかる目的情報提供型電子地図においては，目的別に応じて地図上にアイコン表記がなされ，どこでどのような施設があり，どのようなイベントが開催されるか，一目で分かる点において有用である。
【０００５】
しかるに，かかる目的情報提供型電子地図の場合，地図上に表示される情報は目的に応じた情報に限定されてしまうという問題があった。
すなわち，例えば夏場の時期であれば，花火大会が比較的頻繁に行われるが，従来の目的情報提供型電子地図によれば，花火大会に関する情報は地図上に表示されるものの，その他，夏祭りや海開きなど他のイベントに関する情報は表示されない。そのため，花火大会に行くという目的が絶対的であれば，従来の目的情報提供型電子地図でも十分である。しかしながら，目的が，家族で何かしら出かけたいなど漠然としている場合には，必ずしも表示させる情報は花火大会である必要はなく，それ以上に魅力あるイベントがあれば，これも合わせて表示される方が便宜がよい。
しかしながら，電子地図においては，元来，地図として現在地や目的地を認識するという目的があり，そのため，地図上に複数のアイコン表記を行うとかえって，電子地図としての利便性を損なってしまう。そのため，電子地図においては，アイコンをできるだけシンプルな形で数も少なく表記することが好ましい。
加えて，電子地図は，スマートフォンやタブレットだけでなく，今後，スマートウォッチなどの表示画面面積が限られたデバイスでの使用も期待される。この表示画面面積が狭いデバイスでも，ストレスなく効率的な情報収集が可能な電子地図が求められる。
【０００６】
上記事情を背景として本発明では，従来の目的情報提供型電子地図に替わる電子地図の提供ならびにかかる電子地図を用いたアプリケーションプログラムの開発を目的とする。
【課題を解決するための手段】
【０００７】
発明者は，鋭意研究の結果，地図上に日付を伴ったアイコンを表記させる電子地図に着想し，発明を完成させたものである。
【０００８】
加えて発明者は，かかる日付アイコン表記型電子地図のさらなる改良を行った。すなわち，電子地図上に表記される日付アイコンに，イベント情報を紐づけし，イベント情報を日付アイコンのクリックやタップで簡単に確認できることに着想したものである。さらに発明者は，かかる技術をパチンコイベントに特化させ，パチンコユーザーおよびパチンコ店舗，双方に利点を持たせるよう改良を行ったものである。
【０００９】
本発明は，以下の構成からなる。
本発明の第一の構成は，イベントが日付を伴う日付アイコンにより地図上に表記される電子地図を表示することを特徴とするアプリケーションプログラムである。
【００１０】
本発明の第二の構成は，電子地図の表記時において前記日付アイコンが，現在，過去，未来においてそれぞれ色分け，又は，アイコンの形状を変えることにより，峻別可能であることを特徴とする第一の構成に記載のアプリケーションプログラムである。
本発明の第三の構成は，前記日付アイコンをタップすることにより，アイコンに関するイベントや施設名などの内容が表示されることを特徴とする第一又は第二の構成に記載のアプリケーションプログラムである。
本発明の第四の構成は，さらに，前記イベントが，パチンコに関するイベントであることを特徴とする第一から第三の構成に記載のアプリケーションプログラムである。
本発明の第五の構成は，さらに，イベントを開催するパチンコ店舗数を件数表示するカレンダーを備えることを特徴とする請求項４に記載のアプリケーションプログラムである。
本発明の第六の構成は，第一から第五の構成に記載のアプリケーションプログラムを用いることを特徴とした腕時計型電子デバイスである。
【発明の効果】
【００１１】
本発明により，従来の目的情報提供型電子地図に替わる電子地図の提供ならびにかかる電子地図を用いたアプリケーションプログラムの提供が可能となった。
【図面の簡単な説明】
【００１２】
【図１】日付アイコンが表示された電子地図の例を示した図
【図２】日付アイコンを説明した図
【図３】イベント表記付日付アイコンを説明した図
【図４】日付アイコンタップ時の内容表示の例を示した図
【図５】エリアカレンダーの例を示した図
【図６】本発明のアプリケーションプログラムの構成例を示した図
【図７】本発明のアプリケーションプログラムのトップ画面表示例を示した図
【図８】本発明のアプリケーションプログラムの日付アイコンが表示された電子地図の例を示した図
【図９】電子地図において色分けされた日付アイコンの意味合いを説明した図
【図１０】日付アイコンタップ時の内容表示例のリンク先画面例を示した図
【図１１】ある店舗におけるイベント件数が表示されたカレンダー（ホールカレンダー）の表示例を示した図
【図１２】所定の地域内におけるイベント件数が表示されたカレンダー（エリアカレンダー）の表示例を示した図
【図１３】エリアカレンダーの日付をタップした際の表示画面例を示した図
【図１４】パチンコメーカー指定によるパチンコ台の検索画面例を示した図
【図１５】所定のパチンコメーカーにおけるパチンコ台種の画面表示例を示した図
【図１６】所定のパチンコ台が設置されたパチンコ店舗一覧を示した図
【発明を実施するための形態】
【００１３】
以下，本発明のアプリケーションプログラムについて，図面を用いて説明を行う。
【００１４】
本発明のアプリケーションプログラムでは，電子地図上においてイベントが日付アイコンにより表示されることを特徴とする。図１に日付アイコンが表示された電子地図の例を示す。
【００１５】
日付アイコンは，電子地図上にイベントを表示するための日付情報を伴うアイコンとして定義される。典型的には，図１や図２Ａなどに例示するように，特定の形状に日付を合わせたものをアイコンとして用いればよい。
表示される日付については，目視が容易である限り特に限定する必要はなく，「○月○日」や「○日」などの表記を用いることができる。また，期間を示す表示として，図２Ｃのように「○−○」の表示としてもよい。加えて，必ずしも特定の日付に限定されず，「本日」（図２Ｄ），「明日」（図２Ｆ）など，相対的に日付や期間を特定できる表記を用いてもよい。
【００１６】
日付アイコンは，現在，過去，未来においてそれぞれ色分け，又は，アイコンの形状を変えることにより，峻別可能であることが好ましい。これにより，イベントの進捗状況を把握することが容易となり，アプリケーションプログラムの利便性が向上する効果を有する。
色分けについては，日付アイコンの文字そのもの，もしくはアイコンの色を色分けするなどすればよい。また，アイコンの形状については，アイコンの形状そのものを四角や三角，○などに分けたり，付記的形状を追加するなどして，形状を変えればよい。
【００１７】
例えば，図２は，下記のとおり，現在，過去，未来により，色分け，およびアイコンの形状が変えられている例である。地図を参照している日付を仮に７月１５日と設定して，以下にその説明を記す。
(1)  図２Ａ（緑色アイコン，右三角）
７月１日から開催中のイベントであり，直近（例えば，１か月程度）ではイベントの終了予定がない場合のアイコン（将来）。
(2)  図２Ｂ（青色アイコン，左三角）
イベントが開催中であるが24日にイベントが終了することを示すアイコン（現在・完了）。
(3)  図２Ｃ（赤色アイコン，両三角）
イベントが比較的長期にわたり開催中であることを示すアイコン（現在・進行）。
(4)  図２Ｄ（赤色アイコン，三角無）
７月１５日当日のみイベントが開催されることを示すアイコン（現在）。
(5)  図２Ｅ（橙色アイコン，三角無）
７月１６日のみイベントが開催されることを示すアイコン（将来）。
(6)  図２Ｆ（黄色アイコン，三角無）
参照時点で，イベントの開催時期が未定，もしくはかなり先の時期の予定であるアイコン（将来）。
【００１８】
日付アイコンにおいて，簡略化されたイベント表記を合わせて行うことも可能である。これにより，いつどのようなイベントが行われるかを，一見して確認することが可能となるため，本発明のアプリケーションプログラムの利便性を向上させる効果を有する。
図７は，イベント表記付日付アイコンの例である。図３Ｇは，施設においてイベントが行われている例，図３Ｈは，特定の日付にイベントが行われることを示す例である。
【００１９】
本発明において，日付アイコンをタップすることにより，アイコンに関するイベントや施設名などの内容が表示されることが好ましい。これにより，電子地図からタップをするだけで必要最低限の情報が参照できるため，アプリケーションプログラムの利便性を向上させる効果を有する。表示される内容について，イベント等に応じて有用な情報である限り特に限定する必要はなく，種々の内容を情報として表示することができる。
図４は，タップした際の内容表示の例である。施設名（パーラーパチスケ博多店），現在地からの距離（11.2km），直近の定休日（13日日曜日）の情報が提示されている。
【００２０】
本発明におけるアプリケーションプログラムは，スマートフォンやスマートウォッチなどの比較的表示面積の限られた電子デバイスに用いることが好ましい。これにより，限られた表示面積からも見やすく，かつ，効率的な情報収集が可能となり，本発明におけるアプリケーションプログラムの利便性を向上させる効果を有する。
表示面積については，典型的には６インチ以下の電子デバイスに用いることが好ましく，最も好ましくは２インチ以下の腕時計型電子デバイスに用いることが好ましい。
【００２１】
本発明のアプリケーションプログラムは，パチンコイベントに用いることが好ましい。すなわち，パチンコイベントでは，台の入れ替えや新装開店など，頻繁にイベントが開催されており，パチンコユーザーも，イベントに応じて店を選択することが通常である。本発明のアプリケーションプログラムでは，イベント開催日を容易に認識することができるため，自らの行動圏内におけるイベント開催中のパチンコ店の選択，ないしパチンコ店の選択スケジュールが容易になるという効果を有する。
【００２２】
本発明のアプリケーションプログラムにおいて，イベントを開催するパチンコ店舗数を件数表示するカレンダーを備えることが好ましい。すなわち，イベント開催が集中する日にちというのは，人気台の発売が関係することが多い。そのため，パチンコユーザーは，その日を中心にパチンコ店を訪れれば，新台を打てることが期待できる。加えて，このような新台入れ替えの時期には，釘が開いて調整されることも多く，パチンコユーザーは，その時期を把握できるという大きなメリットがある。
図５は，イベント件数が表示されているカレンダーの例である。かかるカレンダーにおいては，スマートフォン等のＧＰＳにより取得された位置情報を参考に，その位置から比較的近辺（例えば，半径20km以内など）のイベント数の情報が表示されており，一目で，イベント集中時期が確認できる。
【００２３】
＜実施形態＞
本発明のアプリケーションプログラムについて，パチンコイベントで用いるアプリケーションプログラムの例を挙げて説明する。
【００２４】
図６は，本発明のアプリケーションプログラムの構成例を示した図である。
パチンコ店舗は，店舗名および住所，イベント開催日やイベント内容など，種々の情報をサーバークラウド上に登録を行い，適時，更新を行っていく。かかる情報の登録・更新は複数店舗により行われ，イベントを含んだ情報が，サーバークラウド上に集約される。
【００２５】
パチンコユーザーは，スマートフォンアプリケーションやウェブブラウザを通じてサーバークラウド上にアクセスを行う。図７にアクセスを行った際のトップページの画面例を示す。このアプリケーションプログラムを立ち上げると同時に，GPS情報が認識される。そして，日付アイコン表示電子地図のアイコン（図７中，左下のアイコン「現在地から」）をクリックすることにより，図８に示す日付アイコン表示電子地図の画面に移行する。なお，電子地図における日付アイコンは，図９に示すような意味合いで色分けされ例示されている。
図８については，日付アイコンをタップした状態が表示されており，日付アイコンには，パチンコ店舗名，現在地からの距離，日付情報，これらの情報が内容表示されている。
この内容表示された情報のうち，パチンコ店舗名，および日付情報にはリンクが貼られており，これらをタップすると，パチンコ店舗情報の詳細（図９）やパチンコ店舗におけるスケジュール情報（図１０）が表示される。
【００２６】
また，トップ画面のエリアカレンダーアイコン（図７中，右下のアイコン「エリアカレンダー」）をタップすることにより，所定エリアにおけるイベント件数が表示されたカレンダーが表示される（図１１）。かかるイベント件数が表示されている日付をクリックすることにより，実際にイベントが行われる（またはその予定）のパチンコ店舗一覧が表示される（図１２）。
【００２７】
本発明のアプリケーションプログラムは，上記のほか，検索システムを備える。
すなわち，所定のパチンコ台メーカーについて検索を行い（図１３），そのメーカーの台について一覧が表示される（図１４）。ここで所望のパチンコ台を選択することにより，所定の設定範囲内において，そのパチンコ台が設置されているパチンコ店舗情報の一覧が表示される（図１５）。この店舗については，図１５の右欄のお気に入りをチェックすることにより，店舗登録することが可能である。
【図１】
2017026929.tif 000003
【図２】
2017026929.tif 000004
【図３】
2017026929.tif 000005
【図４】
2017026929.tif 000006
【図５】
2017026929.tif 000007
【図６】
2017026929.tif 000008
【図７】
2017026929.tif 000009
【図８】
2017026929.tif 000010
【図９】
2017026929.tif 000011
【図１０】
2017026929.tif 000012
【図１１】
2017026929.tif 000013
【図１２】
2017026929.tif 000014
【図１３】
2017026929.tif 000015
【図１４】
2017026929.tif 000016
【図１５】
2017026929.tif 000017
【図１６】
2017026929.tif 000018